(57)【要約】【課題】ＴＶ信号やＦＭラジオ信号の録画／録音機能を備える移動情報端末に関して、エリア変更等に伴って信号受信レベルが劣化して録画／録音処理の継続が難しいと判断した場合に適切な対応処理を行えること。【解決手段】録画／録音機能により所定チャネルにおける受信ＴＶ信号について録画／録音処理を実行中に受信信号のレベルが所定レベル以下の状態となった時に表示器や報知器を通じて録画／録音処理についてのアラーム通知を行う手段を有する。録画／録音処理中のチャネルの番組と同等の内容を放送するチャネルがあればそのチャネルで引き続き録画／録音処理を継続するが、継続不可能である場合はアラーム通知を行う等する。また、アラーム出力内に録画／録音依頼メール自動発信機能を持つショートカットを設ける等する。【選択図】        図１
2004153333.tif 000002
【特許請求の範囲】
【請求項１】
ＴＶ信号の受信機能と録画／録音機能を備える移動情報端末装置であって、
前記録画／録音機能により所定チャネルにおける受信ＴＶ信号について録画／録音処理を実行中に前記受信信号のレベルが所定レベル以下の状態となった時に前記録画／録音処理についてのアラーム通知を行う手段を有することを特徴とする移動情報端末装置。
【請求項２】
ＴＶ信号の受信機能と録画／録音機能を備える移動情報端末装置であって、
前記録画／録音機能により所定チャネルにおける受信ＴＶ信号について録画／録音処理を実行中に前記受信信号のレベルが所定レベル以下の状態となった時に前記録画／録音機能使用者に対して表示器へのエラー情報出力を通じて前記録画／録音処理についてのアラーム通知を行う手段を有することを特徴とする移動情報端末装置。
【請求項３】
ＴＶ信号の受信機能と録画／録音機能を備える移動情報端末装置であって、
前記録画／録音機能により所定チャネルにおける受信ＴＶ信号について録画／録音処理を実行中に前記受信信号のレベルが所定レベル以下の状態となった時に前記録画／録音機能使用者に対して報知器へのエラー情報出力を通じて前記録画／録音処理についてのアラーム通知を行う手段を有することを特徴とする移動情報端末装置。
【請求項４】
ＴＶ信号の受信機能と録画／録音機能を備える移動情報端末装置であって、
前記録画／録音機能により所定チャネルにおける受信ＴＶ信号について録画／録音処理を実行中に前記受信信号レベルが所定レベル以下となるエリアに移動した場合に、前記録画／録音処理中のチャネルの番組と同等の内容を放送するチャネルを検索・選択して該選択チャネルにて引き続き録画／録音処理を継続することが可能か判定し、継続が可能であると判断した場合は前記選択チャネルにて録画／録音処理を継続し、受信信号レベルが弱く録画／録音処理の継続が不可能あるいは難しいと判断した場合は録画／録音機能使用者に対してアラーム通知する手段を有することを特徴とする移動情報端末装置。
【請求項５】
前記チャネル選択処理で、前記選択チャネルにおける前記録画／録音処理の継続が不可能と判断した場合でも、所定のＮＧ回数内においては繰り返しチャネル選択を試行し、前記ＮＧ回数に達した場合は前記アラーム通知を行うことを特徴とする請求項４記載の移動情報端末装置。
【請求項６】
前記表示器への録画／録音エラー情報の出力を行うアラーム通知処理において、
前記録画／録音エラー情報内に録画／録音依頼メール自動発信機能を持つショートカットを設け、該ショートカットが操作部を通じて選択されると、該ショートカットに対応する予め設定された指定メールアドレスに対して前記録画／録音処理の継続がエラーとなった番組についての録画／録音依頼メールを自動発信処理する手段を有することを特徴とする請求項２記載の移動情報端末装置。
【請求項７】
前記表示器への録画／録音エラー情報の出力を行うアラーム通知処理において、
前記録画／録音エラー情報内に録画／録音依頼電話番号自動発信機能を持つショートカットを設け、該ショートカットが操作部を通じて選択されると、該ショートカットに対応する予め設定された指定電話番号に対して前記録画／録音処理の継続がエラーとなった番組についての録画／録音依頼を自動発呼処理する手段を有することを特徴とする請求項２記載の移動情報端末装置。
【請求項８】
前記表示器への録画／録音エラー情報の出力を行うアラーム通知処理において、
前記録画／録音エラー情報内に再チャネル検索を行うか否かの選択を促すメッセージを設け、前記選択メッセージから再チャネル検索の実行が操作部を通じて選択された場合は、現在位置情報をもとに再度、最適なチャネルの再検索を行う手段を有することを特徴とする請求項２記載の移動情報端末装置。
【請求項９】
ＦＭラジオ信号の受信機能と録画／録音機能を備える移動情報端末装置であって、
前記録画／録音機能により所定チャネルにおける受信ＦＭラジオ信号について録画／録音処理を実行中に前記受信信号のレベルが所定レベル以下の状態となった時に前記録画／録音処理についてのアラーム通知を行う手段を有することを特徴とする移動情報端末装置。
【請求項１０】
ＦＭラジオ信号の受信機能と録画／録音機能を備える移動情報端末装置であって、
前記録画／録音機能により所定チャネルにおける受信ＦＭラジオ信号について録画／録音処理を実行中に前記受信信号のレベルが所定レベル以下の状態となった時に前記録画／録音機能使用者に対して表示器へのエラー情報出力を通じて前記録画／録音処理についてのアラーム通知を行う手段を有することを特徴とする移動情報端末装置。
【請求項１１】
ＦＭラジオ信号の受信機能と録画／録音機能を備える移動情報端末装置であって、
前記録画／録音機能により所定チャネルにおける受信ＦＭラジオ信号について録画／録音処理を実行中に前記受信信号のレベルが所定レベル以下の状態となった時に前記録画／録音機能使用者に対して報知器へのエラー情報出力を通じて前記録画／録音処理についてのアラーム通知を行う手段を有することを特徴とする移動情報端末装置。
【請求項１２】
ＦＭラジオ信号の受信機能と録画／録音機能を備える移動情報端末装置であって、
前記録画／録音機能により所定チャネルにおける受信ＦＭラジオ信号について録画／録音処理を実行中に前記受信信号レベルが所定レベル以下となるエリアに移動した場合に、前記録画／録音処理中のチャネルの番組と同等の内容を放送するチャネルを検索・選択して該選択チャネルにて引き続き録画／録音処理を継続することが可能か判定し、継続が可能であると判断した場合は前記選択チャネルにて録画／録音処理を継続し、受信信号レベルが弱く録画／録音処理の継続が不可能あるいは難しいと判断した場合は録画／録音機能使用者に対してアラーム通知する手段を有することを特徴とする移動情報端末装置。
【請求項１３】
前記チャネル選択処理で、前記選択チャネルにおける前記録画／録音処理の継続が不可能と判断した場合でも、所定のＮＧ回数内においては繰り返しチャネル選択を試行し、前記ＮＧ回数に達した場合は前記アラーム通知を行うことを特徴とする請求項１２記載の移動情報端末装置。
【請求項１４】
前記表示器への録画／録音エラー情報の出力を行うアラーム通知処理において、
前記録画／録音エラー情報内に録画／録音依頼メール自動発信機能を持つショートカットを設け、該ショートカットが操作部を通じて選択されると、該ショートカットに対応する予め設定された指定メールアドレスに対して前記録画／録音処理の継続がエラーとなった番組についての録画／録音依頼メールを自動発信処理する手段を有することを特徴とする請求項１０記載の移動情報端末装置。
【請求項１５】
前記表示器への録画／録音エラー情報の出力を行うアラーム通知処理において、
前記録画／録音エラー情報内に録画／録音依頼電話番号自動発信機能を持つショートカットを設け、該ショートカットが操作部を通じて選択されると、該ショートカットに対応する予め設定された指定電話番号に対して前記録画／録音処理の継続がエラーとなった番組についての録画／録音依頼を自動発呼処理する手段を有することを特徴とする請求項１０記載の移動情報端末装置。
【請求項１６】
前記表示器への録画／録音エラー情報の出力を行うアラーム通知処理において、
前記録画／録音エラー情報内に再チャネル検索を行うか否かの選択を促すメッセージを設け、前記選択メッセージから再チャネル検索の実行が操作部を通じて選択された場合は、現在位置情報をもとに再度、最適なチャネルの再検索を行う手段を有することを特徴とする請求項１０記載の移動情報端末装置。
【発明の詳細な説明】
【０００１】
【発明の属する技術分野】
本発明は、ＴＶ信号処理回路やＦＭラジオ信号処理回路などを有してＴＶ録画やＦＭラジオ録音などの機能を備える移動情報端末装置に関する。
【０００２】
【従来の技術】
近未来に、ＴＶチューナー、ＦＭラジオチューナー等の付加価値機能が搭載された移動情報端末（携帯電話機やＰＤＡあるいはカーナビゲーション装置など）が普及し、ＴＶ放送やＦＭラジオ放送などを受信して録画／録音処理を行って端末内蔵メモリに格納する場合を想定する。無線を通じて所定の無線チャネルでＴＶ信号やＦＭラジオ信号による番組・コンテンツ（動画、音声等）が流され、これを移動情報端末に備えるＴＶ信号処理回路やＦＭラジオ信号処理回路を通じて復号等を行い内蔵のメモリに格納する処理となる。
【０００３】
そのような場面において、移動情報端末である故にエリア移動・エリア変更が発生するから、従来の据え置き型の（移動型ではない）ＴＶ／ＦＭラジオ装置を使用して放送信号を録画／録音することとは異なって、所望の番組の録画／録音処理中にその時点での録画／録音チャネルでは録画／録音処理が継続不可能な状態になる、という事態が発生し得る。
【０００４】
上記録画／録音処理が継続不可能・困難な状態になった場合において、所望の番組の録画／録音処理が継続できずに単に途中で終わりになってしまったり途切れてしまったり等の結果では対応として不十分である。何らかの適切な対応処理を行えるのが良いと考える。
【０００５】
移動情報端末ではエリア変更が発生する。基盤となる移動体通信システムに応じた無線ゾーン（無線エリア）の区分の構成が存在し、移動情報端末の移動に伴って端末が位置する（属する）エリアが変わる。エリア変更時には通信チャネルの切り替え等の処理が行われる。通常、無線基地局及び制御局等と移動情報端末との間でエリア登録（移動管理）のための通信が常時行われている。
【０００６】
ＴＶやラジオ等の放送の受信機能を備える端末装置に関して、例えば特許文献１に開示の技術がある。この技術は、端末で受信放送局についての自動選局及び同調を可能とするためのものであり、基地局からの位置情報と、放送局選択手段によって選択された放送局（ユーザによる受信放送局の指定）とにより、放送局周波数を検索する周波数検索手段を備え、これにより、位置情報に応じて同調周波数を検索するので、端末の移動に応じて所望の放送局の信号を受信できるというものである。
【０００７】
上記特許文献１等の従来技術では、放送信号の受信機能に関して述べており、録画／録音処理について、またそれが継続不能になった場合の対応処理について述べているものではない。
【０００８】
【特許文献１】
特開平８−１６２９０９号公報
【０００９】
【発明が解決しようとする課題】
本発明は、かかる問題点に鑑みてなされたものであり、ＴＶ信号やＦＭラジオ信号の受信機能及びＴＶ録画やＦＭラジオ録音などの機能を備える移動情報端末装置に関して、エリア移動・変更等に伴って信号受信レベルが劣化して録画／録音処理を継続不可能であると判断した場合に適切な対応処理を行うことのできる移動情報端末装置を提供することを目的とする。
【００１０】
【課題を解決するための手段】
かかる目的を達成するために、本発明では、移動情報端末装置においてＴＶやＦＭラジオ等の放送の受信情報（番組・コンテンツ）の録画／録音中にエリア移動・変更等により受信信号レベルが劣化して録画／録音処理の継続が不可能／困難等と判断した場合に、録画／録音機能使用者に対し、その旨（受信信号レベルが劣化している、録画／録音処理が継続不可能である、継続できないと予測する、録画品質が悪化している、等の情報）を報せる。また、端末現在位置（エリア）情報をもとに、予め専用メモリ（位置情報／チャネルメモリ）に格納される位置（エリア）とチャネル系列との対応情報に従って、上記録画／録音の継続についての判断の時点で録画／録音処理中の番組と同等の内容を放送するチャネルを検索、選択して、引き続き録画／録音処理を維持することを試み、選択した最適なチャネルにてできる限り録画／録音処理を継続維持する。そして録画／録音処理が継続不可能であると判断した場合は録画／録音エラー（アラーム）の表示や報知を行う。また、表示器へ表示する録画／録音エラー出力内に、再チャネルサーチを行うか否かの選択を促すメッセージや、録音／録画依頼メール自動送信のためのショートカットや、録音／録画依頼のための電話発信機能ショートカットを含める構成により、ユーザ所望の番組についての録画／録音の不能事態をすばやくリカバリーすることを可能とする構成とした。
【００１１】
請求項１記載の発明は、ＴＶ信号の受信機能と録画／録音機能を備える移動情報端末装置であって、録画／録音機能により所定チャネルにおける受信ＴＶ信号について録画／録音処理を実行中に受信信号のレベルが所定レベル以下の状態となった時に録画／録音処理についてのアラーム通知を行う手段を有することを特徴としている。
【００１２】
請求項２記載の発明は、ＴＶ信号の受信機能と録画／録音機能を備える移動情報端末装置であって、録画／録音機能により所定チャネルにおける受信ＴＶ信号について録画／録音処理を実行中に受信信号のレベルが所定レベル以下の状態となった時に録画／録音機能使用者に対して表示器へのエラー情報出力を通じて録画／録音処理についてのアラーム通知を行う手段を有することを特徴としている。
【００１３】
請求項３記載の発明は、ＴＶ信号の受信機能と録画／録音機能を備える移動情報端末装置であって、録画／録音機能により所定チャネルにおける受信ＴＶ信号について録画／録音処理を実行中に受信信号のレベルが所定レベル以下の状態となった時に録画／録音機能使用者に対して報知器へのエラー情報出力を通じて録画／録音処理についてのアラーム通知を行う手段を有することを特徴としている。
【００１４】
請求項４記載の発明は、ＴＶ信号の受信機能と録画／録音機能を備える移動情報端末装置であって、録画／録音機能により所定チャネルにおける受信ＴＶ信号について録画／録音処理を実行中に受信信号レベルが所定レベル以下となるエリアに移動した場合に、録画／録音処理中のチャネルの番組と同等の内容を放送するチャネルを検索・選択して選択チャネルにて引き続き録画／録音処理を継続することが可能か判定し、継続が可能であると判断した場合は選択チャネルにて録画／録音処理を継続し、受信信号レベルが弱く録画／録音処理の継続が不可能あるいは難しいと判断した場合は録画／録音機能使用者に対してアラーム通知する手段を有することを特徴としている。
【００１５】
請求項５記載の発明は、請求項４記載の発明において、チャネル選択処理で、選択チャネルにおける録画／録音処理の継続が不可能と判断した場合でも、所定のＮＧ回数内においては繰り返しチャネル選択を試行し、ＮＧ回数に達した場合はアラーム通知を行うことを特徴としている。
【００１６】
請求項６記載の発明は、請求項２記載の発明において、表示器への録画／録音エラー情報の出力を行うアラーム通知処理において、録画／録音エラー情報内に録画／録音依頼メール自動発信機能を持つショートカットを設け、ショートカットが操作部を通じて選択されると、ショートカットに対応する予め設定された指定メールアドレスに対して録画／録音処理の継続がエラーとなった番組についての録画／録音依頼メールを自動発信処理する手段を有することを特徴としている。
【００１７】
請求項７記載の発明は、請求項２記載の発明において、表示器への録画／録音エラー情報の出力を行うアラーム通知処理において、録画／録音エラー情報内に録画／録音依頼電話番号自動発信機能を持つショートカットを設け、ショートカットが操作部を通じて選択されると、ショートカットに対応する予め設定された指定電話番号に対して録画／録音処理の継続がエラーとなった番組についての録画／録音依頼を自動発呼処理する手段を有することを特徴としている。
【００１８】
請求項８記載の発明は、請求項２記載の発明において、表示器への録画／録音エラー情報の出力を行うアラーム通知処理において、録画／録音エラー情報内に再チャネル検索を行うか否かの選択を促すメッセージを設け、選択メッセージから再チャネル検索の実行が操作部を通じて選択された場合は、現在位置情報をもとに再度、最適なチャネルの再検索を行う手段を有することを特徴としている。
【００１９】
請求項９記載の発明は、ＦＭラジオ信号の受信機能と録画／録音機能を備える移動情報端末装置であって、録画／録音機能により所定チャネルにおける受信ＦＭラジオ信号について録画／録音処理を実行中に受信信号のレベルが所定レベル以下の状態となった時に録画／録音処理についてのアラーム通知を行う手段を有することを特徴としている。
【００２０】
請求項１０記載の発明は、ＦＭラジオ信号の受信機能と録画／録音機能を備える移動情報端末装置であって、録画／録音機能により所定チャネルにおける受信ＦＭラジオ信号について録画／録音処理を実行中に受信信号のレベルが所定レベル以下の状態となった時に録画／録音機能使用者に対して表示器へのエラー情報出力を通じて録画／録音処理についてのアラーム通知を行う手段を有することを特徴としている。
【００２１】
請求項１１記載の発明は、ＦＭラジオ信号の受信機能と録画／録音機能を備える移動情報端末装置であって、録画／録音機能により所定チャネルにおける受信ＦＭラジオ信号について録画／録音処理を実行中に受信信号のレベルが所定レベル以下の状態となった時に録画／録音機能使用者に対して報知器へのエラー情報出力を通じて録画／録音処理についてのアラーム通知を行う手段を有することを特徴としている。
【００２２】
請求項１２記載の発明は、ＦＭラジオ信号の受信機能と録画／録音機能を備える移動情報端末装置であって、録画／録音機能により所定チャネルにおける受信ＦＭラジオ信号について録画／録音処理を実行中に受信信号レベルが所定レベル以下となるエリアに移動した場合に、録画／録音処理中のチャネルの番組と同等の内容を放送するチャネルを検索・選択して選択チャネルにて引き続き録画／録音処理を継続することが可能か判定し、継続が可能であると判断した場合は選択チャネルにて録画／録音処理を継続し、受信信号レベルが弱く録画／録音処理の継続が不可能あるいは難しいと判断した場合は録画／録音機能使用者に対してアラーム通知する手段を有することを特徴としている。
【００２３】
請求項１３記載の発明は、請求項１２記載の発明において、チャネル選択処理で、選択チャネルにおける録画／録音処理の継続が不可能と判断した場合でも、所定のＮＧ回数内においては繰り返しチャネル選択を試行し、ＮＧ回数に達した場合はアラーム通知を行うことを特徴としている。
【００２４】
請求項１４記載の発明は、請求項１０記載の発明において、表示器への録画／録音エラー情報の出力を行うアラーム通知処理において、録画／録音エラー情報内に録画／録音依頼メール自動発信機能を持つショートカットを設け、ショートカットが操作部を通じて選択されると、ショートカットに対応する予め設定された指定メールアドレスに対して録画／録音処理の継続がエラーとなった番組についての録画／録音依頼メールを自動発信処理する手段を有することを特徴としている。
【００２５】
請求項１５記載の発明は、請求項１０記載の発明において、表示器への録画／録音エラー情報の出力を行うアラーム通知処理において、録画／録音エラー情報内に録画／録音依頼電話番号自動発信機能を持つショートカットを設け、ショートカットが操作部を通じて選択されると、ショートカットに対応する予め設定された指定電話番号に対して録画／録音処理の継続がエラーとなった番組についての録画／録音依頼を自動発呼処理する手段を有することを特徴としている。
【００２６】
請求項１６記載の発明は、請求項１０記載の発明において、表示器への録画／録音エラー情報の出力を行うアラーム通知処理において、録画／録音エラー情報内に再チャネル検索を行うか否かの選択を促すメッセージを設け、選択メッセージから再チャネル検索の実行が操作部を通じて選択された場合は、現在位置情報をもとに再度、最適なチャネルの再検索を行う手段を有することを特徴としている。
【００２７】
【発明の実施の形態】
以下、本発明の実施の形態を添付図面を参照しながら詳細に説明する。構成要素には記号を付与して区別する。図１は、本発明の実施の形態における移動情報端末（移動情報端末装置）の構成を示す図である。本実施形態は、ＴＶ信号の受信機能及び録画／録音機能を備える移動情報端末である。また、図２は、本発明の別の実施形態としての移動情報端末の構成を示す図である。この実施形態は、ＦＭラジオ信号の受信機能及び録音機能を備える移動情報端末である。図５から図１０は、本発明の各実施形態の移動情報端末での特徴的な処理制御の手順を示すフローチャートである。本発明の移動情報端末は、無線を通じた所定の放送サービスの受信機能及びその受信信号を内蔵メモリに記録する記録機能を備え、受信信号を録画／録音処理中に端末移動によるエリア変更等に伴って信号レベルが劣化した場合に、その対応処理を行うものである。
【００２８】
まず、図１は、本発明の実施の形態における移動情報端末の構成を示す。本実施形態の移動情報端末は、通信用アンテナ１０１、無線部１０２、位置情報抽出回路１０３、中央演算処理部（ＣＰＵ）１０５、位置情報／ＴＶチャネルメモリ１０６、表示器１０７、報知器１０８、ＴＶ信号処理回路１０９、ＴＶアンテナ１１０、録画用メモリ１１１、操作部１１２、エラー通知先設定部１１３、エラー通知先メモリ１１４、等を有して構成される。
【００２９】
図２は、本発明の別の実施の形態における移動情報端末の構成を示す。この実施形態の移動情報端末は、通信用アンテナ１０１、無線部１０２、位置情報抽出回路１０３、中央演算処理部（ＣＰＵ）１０５、位置情報／ＦＭチャネルメモリ１１８、表示器１０７、報知器１０８、ＦＭラジオ信号処理回路１１５、ＦＭラジオアンテナ１１６、録音用メモリ１１７、操作部１１２、エラー通知先設定部１１３、エラー通知先メモリ１１４、等を有して構成される。ＦＭラジオ信号処理回路１１５等を除けば基本構成は第１の実施形態の移動情報端末と同様である。
【００３０】
本実施形態の移動情報端末が受信する信号は、対象の放送サービスに応じて動画や音声など異なるタイプのデータあるいはそれらが混在したデータとなる（例えばＴＶ放送における「動画（映像）＋音声＋文字情報」などの形式等）。また本明細書では、受信信号の記録処理についてまとめて「録画／録音」として記載し、録画のみ、録音のみ、録画＋録音、及びその他情報の並録、などの意味を包含するものとする。また、移動体通信システムにおける無線エリアの区分構成と、ＴＶ等の放送サービスにおける放送エリアの区分構成が所定の対応関係となっているものとし、簡単のために両者を「エリア」として説明する。
【００３１】
また、移動情報端末においてメモリに録画／録音したデータについて再生する機能を更に備えている形態であっても当然良いが、本発明はあくまで録画／録音機能が中心となるため記載しない。
【００３２】
また、移動情報端末が属する無線網において所定のチャネル（無線チャネル）を通じて流され端末で受信する信号について特に「番組」として示す。放送のタイプとして、所定の時間帯に流されることが予め決定されている番組について受信することを対象としている。チャネルには所定の放送系列（局）の番組が流されるものとする。例えば、「チャネルＮｏ．  ９９にはＢ系列が割り当てられ、ＰＭ７：００からＰＭ９：００までの時間帯は○△□の映画が流される」等の形態である。
【００３３】
図１において、通信用アンテナ１０１は、移動情報端末の備える標準的な無線通信機能のためのアンテナユニットである。無線部１０２は、通信用アンテナ１０１を通じて無線信号の送受信を処理する回路である。位置情報抽出回路１０３は、無線部１０２を通じて端末の現在位置を情報として抽出可能な回路である。中央演算処理部（ＣＰＵ）１０５は、移動情報端末の全体を制御するプロセッサである。表示器１０７は、ＬＣＤ（液晶ディスプレイ）等、画面に画像やメッセージ等を出力表示する部分である。報知器１０８は、スピーカフォン等、音声や楽音を出力する部分である。操作部１１２は、キースイッチやボタン等、ユーザが入力操作を行うインタフェース部分である。
【００３４】
位置情報／ＴＶチャネルメモリ１０６は、位置情報（エリア）とＴＶチャネル（放送系列、番組）との対応情報が格納されるメモリである。つまり対応情報として「この位置＝エリアではこのチャネルでこの系列の番組が放送されている」という内容の情報が所定形式で記述されている。本実施形態では図３に示すようなマトリクス表が格納されているものとした。ＴＶ信号処理回路１０９は、ＴＶアンテナ１１０を通じてＴＶ信号を受信し復号処理等を行う回路である。受信信号レベルの測定機能も備え、これにより録画／録音処理のための電波状態を判断する。また、ＴＶ信号処理回路１０９は、受信したＴＶ信号について録画メモリ１１１に圧縮格納する処理機能つまりＴＶ録画処理機能を備える。
【００３５】
ユーザは、操作部１１２及び表示器１０７等における所定のインタフェースを通じて、所望のチャネル・系列の番組についての録画／録音条件（ジョブ）を指定／設定（録画予約等）することができる。例えば、「ＰＭ７：００からこの番組（チャネル）を録画せよ」といった内容を指定できる。移動情報端末は、ＴＶ信号処理回路１０９により、ユーザ所望の番組について指定の時間帯に対応するチャネルで信号を受信してメモリ１１１への録画／録音処理を実行する。エラー通知先設定部１１３、エラー通知先メモリ１１４については後述する。
【００３６】
図３を参照して、位置情報／ＴＶチャネルメモリ１０６内にどのような情報が格納されるかについて例を挙げて説明する。位置情報／ＴＶチャネルメモリ１０６に格納される表には、縦軸に位置情報（エリア）、横軸にＴＶチャネルがあり、各エリアに対応する各ＴＶチャネルでどの系列の番組を放送しているのかを示すＴＶチャネル属性が格納される。
【００３７】
上記対応表において、縦軸の位置情報とは、通信用アンテナ１０１、無線部１０２経由で受信したデータ内から位置情報抽出部１０３にて抽出可能な端末現在位置（属するエリア）の情報であり、横軸のチャネルとは、ＴＶチャネル帯に属す全てのチャネル（無線チャネル）のことである。例えば端末位置（エリア）として「００００」から「ｆｆｆｆ」までの符号で識別される位置（エリア）が有り、一方、ＴＶチャネル（無線チャネル）として１から３００までのチャネルが有る。ＴＶチャネル属性として、表外に示すように該当ＴＶチャネルが未放送チャネルであれば「１ｘｘｘ」、Ａ系列のチャネルは「００００」、Ｂ系列は「０００１」、Ｃ系列は「０００２」、Ｄ系列は「０００３」、Ｅ系列は「０００４」等と、各ＴＶチャネルを放送系列でグループ分けしている例を示している。勿論、端末位置（エリア）と放送番組との対応が定まればこのような形式以外でも構わない。このような対応情報が予め移動情報端末内に設定され、あるいは随時更新される形態である。
【００３８】
図２の構成で、ＦＭラジオ信号処理回路１１５は、ＦＭラジオアンテナ１１６を通じてＦＭラジオ信号を受信し復号処理等を行う回路である。受信信号レベルの測定機能も備え、これにより録画／録音処理のための電波状態を判断する。また、ＦＭラジオ信号処理回路１１５は、受信したＦＭラジオ信号について録音メモリ１１７に圧縮格納する処理機能つまりＦＭラジオ録音処理機能を備える。位置情報／ＦＭチャネルメモリ１１８は、図１の構成の場合と同様、位置情報（エリア）とＦＭラジオチャネル（放送系列、番組）との対応情報が格納されるメモリである。つまり対応情報として「この位置＝エリアではこのチャネルでこの系列の番組が放送されている」という内容の情報が所定形式で記述されている。
【００３９】
以下、移動情報端末において、上記の図１や図２に示すような基本構成で、ＴＶアンテナ１１０やＦＭラジオアンテナ１１６経由で受信するＴＶ信号あるいはＦＭラジオ信号をＴＶ信号処理回路１０９あるいはＦＭラジオ信号処理回路１１５で復号等し、録画／録音実行時（録画／録音時間帯）にはその復号信号を録画メモリ１１１あるいは録音メモリ１１７に格納する処理構成であることが前提となる。以下では特に、ＴＶ信号録画機能の場合について説明するがＦＭラジオ信号録音機能の場合でも処理概念は同様である。
【００４０】
まず、本発明の第１の実施形態の移動情報端末として、移動情報端末のＴＶ信号処理回路１０９は、ＴＶアンテナ１１０経由で受信するＴＶ信号の受信レベルが規定値以下となった時、システム制御部である中央演算処理部（ＣＰＵ）１０５に通知する。信号受信レベルが規定値以下となった場合とは、電波状態が悪い時であり、エリア移動・変更の発生時等である。つまり、録画／録音処理対象の信号を放送していないエリア内に端末が入った場合等である。上記判定用の規定値は、録画／録音処理の継続の可否に関しての判断のための値でありそれを考慮して設定される。上記受信信号レベルが規定値以下になった時、ユーザ所望の番組の録画／録音処理について、受信信号の品質が悪くなってきている（上記規定値の設定に関連する）。そのため、その対応処理を行わせるためにＴＶ信号処理回路１０９はＣＰＵ１０５に対しその状況の通知を行う。ＣＰＵ１０５では通知を受けると、録画／録音に関する所定の対応処理を行う。第１の実施形態では、対応処理として、録画／録音機能使用者に対して、実行中の録画／録音に関して電波状態が悪くなっていること、あるいはそれにより録画／録音の継続が難しいという予測等についてアラーム通知を行う。対応処理の例は以後の各実施形態でも示される。
【００４１】
本発明の第２の実施形態として、移動情報端末は、ＴＶ信号処理回路１０９での受信信号レベルの測定に基づき、受信信号レベルが規定値以下となってその状況がＣＰＵ１０５に通知された時に、移動情報端末の備える表示器１０７にて録画／録音エラー（アラーム）情報の表示を行う。あるいは、移動情報端末の備えるスピーカフォンなどの報知器１０８にて録画／録音エラー情報の鳴音を行う。これらの警告処理により、録画／録音使用者に対して、録画／録音実行中の番組について電波状態の劣化・悪化により処理が継続できないかもしれないこと（予測）、あるいは、録画／録音の品質が劣化してきていること（品質の通知）、あるいは、完全に継続不能と判断したこと（処理断の通知）、あるいは、その他の対応処理を行うかどうか（処理の促し）等、状況判断に基づいた警告を行う。このように録画／録音エラー出力の内容としては幾つかのタイプを考えることができる。
【００４２】
ユーザに対し表示器１０７や報知器１０８等を通じて録画／録音エラー（アラーム）情報の出力を行うことで、例えばユーザに端末の移動（電波状態の良好なエリアへ移動させること）を考えさせたり等、その後の対応を促すことができる。
【００４３】
本発明の第３の実施形態として、移動情報端末は、ＴＶ信号処理回路１０９での測定で信号受信レベルが規定値以下となったことに基づいてＣＰＵ１０５へその旨の通知を行った時に、ＣＰＵ１０５は、通信用アンテナ１０１、無線部１０２、位置情報抽出回路１０３を通じて抽出した現在位置情報（エリア情報）より、位置情報／ＴＶチャネルメモリ１０６内の登録情報を参照して、現在録画／録音処理中のＴＶチャネルと同等の内容が放送されている最適なチャネルを選択する処理を行う。そして最適なチャネルを選択後、この選択チャネルにて正常に（所定以上の品質で）信号（録画／録音中の番組）を受信できるか否かの判定をＴＶ信号処理回路１０９で行う。選択チャネルにて信号を正常に受信できる場合、その選択チャネルにて録画／録音処理を継続する。選択チャネルにて信号を正常に受信できないと判断した場合は、表示器１０７や報知器１０８にて録画／録音エラー（アラーム）の表示や鳴音を行わせ、録画／録音使用者に対して警告通知する。位置情報は、位置情報抽出回路１０３にて抽出・取得できる。
【００４４】
移動情報端末では、位置情報／ＴＶチャネルメモリ１０６に格納されているマトリクス表（位置（エリア）とチャネル（番組）との対応情報）を参照することで、端末が現在位置するエリアにおいてどの系列の番組がどのチャネルで放送されているかを認識することができる。従って、エリア変更が発生した場合、上記表を参照して指定の番組の信号受信及びその録画／録音処理を継続できるチャネルをサーチ（スキャン）することができ、同等の内容の番組を放送するチャネルが有ればそれに切り替えて処理を継続する。
【００４５】
第３の実施形態では、エリア変更等が発生した場合でもできる限り録画／録音処理を継続できるチャネルを探して選択し、その選択チャネルにて処理の継続を試みる。録画／録音継続不可能である判断した場合は録画／録音エラー（アラーム）の出力を行う。
【００４６】
本発明の第４の実施形態として、移動情報端末は、ＴＶ信号処理回路１０９での測定で信号受信レベルが規定値以下になった時、位置情報／ＴＶチャネルメモリ１０６における表を参照して録画／録音処理継続に最適なチャネルを選択後、選択チャネルにて信号を正常に受信できるか否かの判定をＴＶ信号処理回路１０９にて行い、選択チャネルにて正常に受信できない場合で、且つその正常受信できないと判定したＮＧ回数が規定回数内であるうちは、再度、位置情報抽出回路１０３で抽出する現在位置情報をもとに、位置情報／ＴＶチャネルメモリ１０６における登録情報中から録画／録音処理継続のためのチャネル選択を試行する。また、正常受信できないと判定したＮＧ回数が規定回数以上となった場合は、その旨について表示器１０７や報知器１０８にて録画／録音エラー（アラーム）の表示や鳴音を行わせ、録画／録音機能使用者に対して警告通知する。
【００４７】
第４の実施形態の場合、上記規定のＮＧ回数内で録画／録音処理継続のためのチャネル選択を試みる。その試行において切り替え先のチャネルが見つかった場合は録画／録音処理を継続できる。何回かチャネル選択を試行して所定時間を経過してしまう場合は非効率であるので警告通知処理を行う。
【００４８】
本発明の第５の実施形態：上述実施形態で警告手段として表示器１０７にて録画／録音エラー（アラーム）表示させる構成について述べたが、第５の実施形態では、更に、この録画／録音エラー表示内にメール作成・送信へジャンプできるショートカット（リンク、ボタン）を設ける。そのショートカットを操作部１１２を通じてユーザが選択することにより、予め設定されているメールリストでの宛先（送信先）に対し「何時何分から○○テレビ（○○ｃｈ）で放送中の番組を録画願います。」といった内容の録画／録音に関する依頼メールを自動送信処理する。
【００４９】
この依頼メールの送信先の設定は、エラー通知先設定部１１３を通じてユーザが行うことができる。エラー通知先設定部１１３を通じて入力設定された通知先設定情報はエラー通知先メモリに格納される。通知先設定情報として、依頼メールの送信先アドレスや、メッセージ等の情報の設定を行うことを可能とする。
【００５０】
第５の実施形態では、ユーザは、友人知人等の他者に対して録画／録音継続のための依頼メールを自動送信することが可能であるので、ユーザ自身の端末では所望の番組の録画／録音が継続不可能であると判断された場合で、かつ依頼先の他者が録音／録音処理が可能である状況である場合に録画／録音処理を替わりに行わせることができ、結果として、所望の番組について最後までの録画／録音データを取得することができる。
【００５１】
本発明の第６の実施形態：上述実施形態で警告手段として表示器１０７にて録画／録音エラー（アラーム）表示させる構成について述べたが、第６の実施形態では、更に、この録画／録音エラー表示内に所定の電話番号を表示テキストとしたショートカット（リンク、ボタン）を設ける。この電話番号ショートカットは、処理途中の録画／録音処理の継続についての依頼対象となる通知先の電話番号であり、この電話番号ショートカットを操作部１１３を通じてユーザが選択することにより、対応した電話番号へと自動的に発信（発呼）処理される。
【００５２】
第５の実施形態と同様に、ユーザは、録画／録音依頼先（エラー通知先）となる相手の電話番号等の設定を通知先設定部１１３を通じて行うことができる。
【００５３】
第５の実施形態と同様に、ユーザは、友人知人等の他者に対してすぐに電話発呼を通じて録画／録音継続のための依頼を口頭で行うことが可能であるので、ユーザ自身の端末では所望の番組の録画／録音が継続不可能であると判断された場合で、かつ依頼先の他者が録音／録音処理が可能である状況である場合に録画／録音処理を替わりに行わせることができ、結果として、所望の番組について最後までの録画／録音データを取得することができる。
【００５４】
本発明の第７の実施形態：上述した第３・第４の実施形態では、位置情報抽出回路１０３で抽出した現在位置情報をもとに、位置情報／ＴＶチャネルメモリ１０６を参照して、現在録画／録音処理中のＴＶチャネルと同等の内容が放送されている最適なチャネルの選択を行う処理構成を示した。第７の実施形態では、ＴＶ電波状態が悪く録画／録音処理の継続維持が難しい／不可能であると判断して表示器１０７や報知器１０８にて録画／録音エラー（アラーム）出力させる際に、再度、切り替え先チャネル（録画／録音処理継続可能なチャネル）のサーチ（スキャン）を行うか否かを選択させるメッセージを出力する。例えば「再度チャネルサーチする／チャネルサーチしない」等のテキストの出力を表示器１０７上で行う。端末はユーザが操作部１１３を通じてその選択を行うことに応じて再度チャネルサーチを実行する。位置情報抽出回路１０３を通じて抽出した端末現在位置情報に基づき、位置情報／ＴＶチャネルメモリ１０６における表を参照して録画／録音処理中のチャネルと同等の内容を放送している最適なチャネルを選択する。録画／録音処理継続可能なチャネルが見つかった場合はそのチャネルで録画／録音処理を継続する。
【００５５】
第７の実施形態の移動情報端末では、再チャネルサーチ選択メッセージの出力により、ユーザに対し再チャネルサーチについて実行するか否かを選択判断させ、その選択操作に基づき再度チャネルサーチを実行する。
【００５６】
図４は、端末のエリア変更時における録画／録音処理継続のための位置情報／ＴＶチャネルメモリ１０６の使用例について示す説明図である。図４のように、例えば、移動情報端末の現在位置（エリア）がエリア１＝「１０００」、現在録画処理中のＴＶチャネルが９９ｃｈ（放送内容：Ｂ系統）であり、隣接エリアであるエリア２＝「０００１」へと移動中であったとする。エリア間の端末移動（エリア１→エリア２）に伴って、ＴＶ信号処理回路１０９が現在録画処理中のチャネル（９９ｃｈ）の信号受信レベルについて所定の規定値（ＴＶ電波が微弱と判断するレベル）以下であると判定してそれがＣＰＵ１０５へ通知されると、ＣＰＵ１０５は、位置情報抽出回路１０３より現在位置情報を取得する。現在位置（エリア）情報「０００１」からエリア２と認識される。そして、ＴＶチャネル選択処理として、位置情報／ＴＶチャネルメモリ１０６における対応表を参照して、録画処理中であったＢ系統の番組を放送しているチャネルのサーチ、選択が行われる。対応表から、エリア２においてＢ系統を放送しているのはＴＶチャネル：２ｃｈ  であるとわかるので、この２ｃｈ  が切り替え先（録画処理継続先）のチャネルとして選択される。もし端末移動先のエリアに複数の同系列放送チャネルがあった場合は、最も電波環境の良好なチャネルを選択する等が行われる。切り替え先のチャネル：２ｃｈ  の電波状況が良好であればこのチャネルにて録画処理が継続される。電波状況が良好でなく録画処理を継続できそうになければ、他のチャネルを再サーチしたり、あるいは、録画継続不可能である旨（録画／録音エラー出力）を録画機能使用者（ユーザ）に対してアラーム通知する等の所定の対応処理が行われる。
【００５７】
位置情報抽出回路１０３の構成により端末現在位置（エリア）を即時に把握が可能であり、位置情報／ＴＶチャネルメモリ１０６の構成により、ＴＶ信号の受信レベルが規定値以下になった際に、現在位置に対応した、現在録画／録音処理中のチャネル（番組）と同等の内容が放送されている適切なＴＶチャネルを自動選択することが可能である。
【００５８】
移動情報端末特有のエリア移動・変更の発生にてＴＶ信号受信レベルの劣化が発生し、実行中の録画／録音処理の継続に影響を与えると判断した場合に、ＣＰＵ１０５は、ＬＣＤ等の表示器１０７、スピーカフォン等の報知器１０８を通じて、録画／録音機能使用者に対して、実行中の録画／録音処理に関してその継続が難しい／不可能である、等の状況を警告通知する。
【００５９】
エラー通知先設定部１１３及びエラー通知先メモリ１１４は、録画／録音処理が継続不能な状態に陥った場合の通知先の情報を設定、格納する手段である。ユーザは、通知先として例えば、録画／録音依頼先メールアドレス、録画／録音依頼先電話番号などを予め登録しておく。通知先の登録は、録画／録音使用者が所定のユーザインタフェースを通じて行える構成である。
【００６０】
また、現在録画／録音処理中のチャネル・番組情報を随時更新して上記メモリ１１４に格納する。メモリ１１４内のチャネル・番組情報が格納されている場所をモニタして録画／録音エラー（アラーム）出力メッセージ内に現在どの番組を録画／録音処理中であったのかの番組情報を出力することができる。
【００６１】
図５以下のフローチャートを参照して、本発明の各実施形態の移動情報端末での処理手順について説明する。なお、各フローチャートにおいて同等の内容の処理ステップについては同じ番号で示す。
【００６２】
図５は、第１・第２の実施形態の移動情報端末でＴＶ録画処理中にＴＶ電波環境が悪化した場合に録画使用者に対してアラーム通知する処理の手順を示すフローである。まず、ステップＳ１００で、移動情報端末は、現在時刻が、ユーザにより予め入力設定されている録画条件（ジョブ）におけるＴＶ録画対象時間帯に該当するか否かの判定を行う。現在時刻がＴＶ録画時間帯に該当するのであればＴＶ信号録画処理すべきと判断してステップＳ１１０へ移行し（ステップＳ１００−ＹＥＳ）、ＴＶ録画時間帯外であればＴＶ録画処理を終了する（ステップ１００−ＮＯ）。
【００６３】
ステップＳ１１０で、移動情報端末は、ＴＶ信号処理回路１０９にてＴＶ信号録画処理を行う（継続する）。ＴＶアンテナ１１０経由で受信されるＴＶ信号についてＴＶ信号処理回路１０９にて復号し、録画メモリ１１１へ圧縮格納する。
【００６４】
ステップＳ１２０は、ＴＶ信号処理回路１０９において、受信信号レベルが規定レベル以下になったか否かを検知・判定する処理である。受信信号レベルが規定レベル以下となった時は（ステップＳ１２０−ＮＧ）、そのことをＣＰＵ１０５へ通知してステップＳ１３０へ移行する。受信信号レベルが規定レベル以上である場合は（ステップＳ１２０−ＯＫ）、ステップＳ１１０へ移行してＴＶ信号録画処理を継続して行う。
【００６５】
ステップＳ１３０は、録画／録音機能使用者に対して指定の番組の録画／録音が正常に継続できないことをアラーム通知する処理である。ＣＰＵ１０５は、ＴＶ信号処理回路１０９から信号レベルが規定レベル以下になったことの通知を受けると、表示器１０７へ録画／録音エラー（アラーム）のメッセージの表示を命令し、あるいは報知器１０８へ録画／録音エラーのアラーム鳴音を命令する。
【００６６】
ステップＳ１４０の「ＴＶ録画終了」処理では、ＴＶ信号処理回路１０９のＯＦＦ処理を行い、録画メモリ１１１への受信データの圧縮格納を停止して、指定の番組の録画を終了する。
【００６７】
図６は、第３の実施形態として、エリア変更等によって発生する現在録画中のＴＶチャネルの信号受信レベル劣化により、現在録画中の番組と同等の内容の番組を放送するチャネルをサーチ・選択し、選択チャネルで録画継続可能か否かの判定を行い、録画継続不能と判断された際に行うアラーム通知処理について示すフローである。
【００６８】
ステップＳ１００は、ＴＶ録画時間内であるか否かの判定である。現在時刻がＴＶ録画時間帯内であればＴＶ録画処理すべきと判断し、ステップＳ１１０へ移行し、ＴＶ録画時間帯外であればステップＳ１４０へ移行する。
【００６９】
ステップＳ１１０は、ＴＶ信号録画処理であり、ＴＶアンテナ１１０経由で受信されるＴＶ信号をＴＶ信号処理回路１０９にて復号し、録画メモリ１１１へ圧縮格納処理する。
【００７０】
ステップＳ１２０は、ＴＶ信号処理回路１０９での受信信号レベル判定処理（その１）である。受信信号レベルが規定レベル以下と判断した時は（ＮＧ）、そのことをＣＰＵ１０５へ通知してステップＳ１２１へ移行し、規定レベル以上であれば（ＯＫ）、ステップＳ１００へ移行する。
【００７１】
ステップＳ１２１は、ＣＰＵ１０５が位置情報抽出回路１０３より現在位置（エリア）情報を取得する位置判定処理である。現在位置情報の取得完了で、ステップＳ１２２へ移行する。
【００７２】
ステップＳ１２２は、現在位置、現在録画チャネルの情報を基に、位置情報／ＴＶチャネルメモリ１０６内より、ＣＰＵ１０５が現在録画中の番組と同等の内容が放送されているＴＶチャネルを自動選択するチャネル選択処理である。もし、同等の内容が放送されるＴＶチャネルが複数存在する場合は、その中から最も電波環境が良好なＴＶチャネルを選択する等する。ＴＶチャネル選択完了にて、ステップＳ１２３のＴＶ信号受信レベル判定処理その２へ移行する（位置情報／ＴＶチャネルメモリ１０６については前述の説明を参照）。
【００７３】
ステップＳ１２３は、ステップＳ１２２で自動選択されたＴＶチャネルについて、録画継続が可能な・適切な状態か否かを判定するＴＶ信号受信レベル判定処理その２である。ＴＶ信号処理回路１０９にて、上記選択チャネルにおける受信信号レベルが規定レベル以下でないか判定する処理であり、規定レベル以下であればステップＳ１３０へ移行し（ＮＧ）、規定レベル以上であれば（ＯＫ）、ＴＶ録画処理を継続維持する為にステップＳ１００へ移行する。
【００７４】
ステップＳ１３０は、録画使用者に対し指定の番組について正常に録画／録音が継続できないことをアラーム通知する処理である。ステップＳ１２３にて受信信号レベルが規定レベル以下である場合、ＣＰＵ１０５は表示器１０７への録画／録音エラーメッセージの表示、あるいは報知器１０８への録画／録音エラーのアラーム音の鳴動を命令し、ステップＳ１４０へ移行する。
【００７５】
ステップＳ１４０では、ＴＶ信号処理回路１０９のＯＦＦ処理を行い、録画メモリ１１１への受信データの圧縮格納処理を停止して、ＴＶ録画を終了する。
【００７６】
図７は、第４の実施形態として、録画／録音処理継続のためのチャネル自動選択機能における電波劣化時の再チャネルサーチ処理にて、チャネルサーチのＮＧ回数が規定回数以上に越えた場合に録画使用者に対しアラーム通知する処理について示すフローである。ステップＳ１００〜Ｓ１２３、ステップＳ１３０〜Ｓ１４０の処理は、前述の図６の処理と同様の処理である。
【００７７】
本実施形態では、ＴＶ信号受信レベル判定その２（ステップＳ１２３）にて受信信号レベルが規定レベル以下であった場合、「他実施例その２」ではアラーム通知処理（ステップＳ１３０）、ＴＶ録画終了（ステップＳ１４０）を行ってＴＶ録画を終了していたのに対し、ＮＧ回数判定処理（ステップＳ１２４）を追加しており、ＴＶ信号受信レベル判定その２の結果においてＮＧの回数が規定回数以下である場合は、再度、位置判定処理（ステップＳ１２１）にて現在位置情報を抽出し、現在エリアで最適な録画チャネルを選択する処理を試行する。
【００７８】
ステップＳ１２４では、ＣＰＵ１０５は、ＴＶ信号受信レベル判定の結果のＮＧ回数が予め規定されている所定の回数に達していないか否か判定し、規定回数以内であるうちは、再度、位置判定処理（ステップＳ１２１）へ戻り、規定回数以上となった場合は、ＣＰＵ１０５は表示器１０７への録画／録音エラーメッセージの表示あるいは報知器１０８へのアラーム音の鳴動を命令し、ステップＳ１４０へ移行する。
【００７９】
図８は、第５の実施形態として、録画／録音エラー表示内に録画／録音依頼のためのメール作成・送信へジャンプできるショートカットを設ける処理構成における処理手順を示すフローである。まず、ステップＳ２００にて、録画／録音エラーメッセージ通知要求があった場合は、ステップＳ２１０へ移行する。
【００８０】
ステップＳ２１０は、録画／録音が正常に継続できないことにより予めエラー通知先メモリ１１４に登録されている送信先（エラー通知先）に対し録画／録音依頼メールの送信を行うか否かを録画／録音機能使用者（ユーザ）が判断決定する処理である。例えば、表示器１０７に表示される録画／録音エラー（アラーム）メッセージ内に「依頼メールを送信する／送信しない」等と記載されたショートカットが設けられ、録画使用者が操作部１１２を通じて「送信する」を選択した場合（ステップＳ２１０−ＹＥＳ）は、ステップＳ２２０へ、「送信しない」を選択した場合（ステップＳ２１０−ＮＯ）は「終了」へ移行する。
【００８１】
ステップＳ２２０は、依頼メール送信ショートカットの選択を受けて、ＣＰＵ１０５が、予め移動情報端末に搭載されているメーラー機能の新規メール作成プログラムを起動する処理であり、正常に起動したのであればステップＳ２３０へ移行する。
【００８２】
ステップＳ２３０は、予めエラー通知先メモリ１１４に登録されている知人／友人等の録画／録音の依頼先のメールアドレスを抽出・取得する処理であり、抽出完了でステップＳ２４０へ移行する。
【００８３】
ステップＳ２４０は、予め録画使用者が予約など入力・設定した録画／録音条件（ジョブ）の番組情報（放送系列、録画時間帯などの情報）をエラー通知先メモリ１１４より抽出・取得する処理であり、抽出完了でステップＳ２５０へ移行する。
【００８４】
ステップＳ２５０は、ＣＰＵ１０５（メーラー機能）が、ステップＳ２３０で抽出された録画／録音依頼先メールアドレスを送信先アドレスに指定し、また、ステップＳ２４０で抽出された番組情報を依頼メールの本文に記述処理する等して録画／録音依頼メールを作成する処理であり、メール作成完了でステップＳ２６０へ移行する。
【００８５】
ステップＳ２６０は、ステップＳ２５０で必要事項が入力されたメール作成画面をＣＰＵ１０５が表示器１０７へ表示するように命令する処理であり、表示完了でステップＳ２７０へ移行する。
【００８６】
ステップＳ２７０は、ステップＳ２６０で表示されるメール作成画面におけるメールを送信するのか否かを決定する処理である。この決定は、ユーザが操作部１１２を通じて表示内のカーソルを「送信する」表示上に移動させ、所定の送信決定キーを押下すること等によりなされる。「ＹＥＳ（送信する）」であれば送信処理へ移行して上記メールを送信処理し、「ＮＯ（送信決定キーを押下しない）」であればステップＳ２８０へ移行する。
【００８７】
ステップＳ２８０は、送信決定キーを押さずにメール作成画面上で録画依頼者であるユーザが本文等に追加テキストを挿入すること等を想定した処理であり、そのような編集処理の終了でステップＳ２７０へ戻る。
【００８８】
図９は、第６の実施形態として、録画／録音エラー表示内に録画／録音依頼のための電話番号発信ショートカットを設ける処理構成における処理手順を示すフローである。
【００８９】
ステップＳ２００にて録画／録音エラーメッセージ通知要求があったのであれば、ステップＳ２１０へ移行する。
【００９０】
ステップＳ３００は、予めエラー通知先メモリ１１４に登録されている知人／友人等の依頼先の電話番号（発信電話番号）を抽出する処理であり、抽出完了でステップＳ３１０へ移行する。
【００９１】
ステップＳ３１０では、ステップＳ３００で抽出された発信電話番号を録画／録音エラーメッセージ内に挿入し、ＣＰＵ１０５がそれを表示器１０７へ表示するように命令する処理であり、表示完了でステップＳ３２０へ移行する。
【００９２】
ステップＳ３２０は、ステップＳ３１０で表示される電話番号＝依頼先に発呼するのか否かを決定する処理である。この決定は、ユーザが操作部１１２を通じて表示内のカーソルを「電話番号」表示上に移動させ、所定の決定キーを押下すること等によりなされる。「ＹＥＳ（決定キー押下）」であれば発信処理へ移行して上記電話番号へ発呼し、「ＮＯ（決定キーを押下しない）」であれば終了へ移行する。
【００９３】
図１０は、第７の実施形態として、受信信号レベル劣化時に録画／録音処理の継続が難しいと判断して録画／録音エラー（アラーム）出力させる際に、再度、切り替え先チャネル（録画／録音処理継続可能なチャネル）のサーチを行うか否かを選択させるメッセージを出力する処理構成における処理手順を示すフローである。
【００９４】
ステップＳ２００にて録画／録音エラーメッセージ通知要求があったのであれば、ステップＳ２１０へ移行する。
【００９５】
ステップＳ４００は、「再チャネルスキャンしますか」等のメッセージを含んだ録画／録音エラーメッセージを、ＣＰＵ１０５が表示器１０７へ表示するように命令する処理であり、表示完了でステップＳ４１０へ移行する。
【００９６】
ステップＳ４１０は、ステップＳ４００で表示器画面に表示される「再チャネルサーチするか否か」のメッセージを含んだ録画／録音エラーメッセージに基づき再チャネルサーチつまり録画／録音を継続可能なチャネルのサーチ・選択を行うか否かを決定する処理である。この決定は、ユーザが操作部１１２を通じて表示内のカーソルを「ＹＥＳ（再チャネルサーチする）」表示上に移動させ、所定の決定キーを押下すること等によりなされる。「ＹＥＳ（再チャネルサーチする）」であればステップＳ４２０へ、「ＮＯ（再チャネルサーチしない）」であれば終了へ移行する。
【００９７】
ステップＳ４２０は、ＣＰＵ１０５が位置情報抽出回路１０３より現在位置（エリア）情報を取得する位置判定処理である。現在位置情報の取得完了で、ステップＳ４３０へ移行する。
【００９８】
ステップＳ４３０は、ＣＰＵ１０５が、現在位置情報、現在録画チャネルを基に、位置情報／ＴＶチャネルメモリ１０６内より、現在録画中の番組と同等の内容が放送されているＴＶチャネルを自動選択するチャネル選択処理である。もし、同等の内容が放送されるＴＶチャネルが複数存在する場合は、その中から最も電波環境が良好なＴＶチャネルを選択する等する。ＴＶチャネル選択完了にて、ＴＶ信号受信レベル判定その２（ステップＳ４４０）へ移行する。
【００９９】
ステップＳ４４０は、ステップＳ４３０で自動選択されたＴＶチャネルが、録画継続可能なＴＶチャネルか否かを判定するＴＶ信号受信レベル判定処理その２である。ＴＶ信号処理回路１０９にて、受信信号レベルが規定レベル以下でないか判定する処理であり、規定レベル以下であれば（ＮＧ）、ステップＳ４５０へ移行し、規定レベル以上であれば（ＯＫ）、録画／録音処理へ移行して録画／録音処理を継続する。
【０１００】
ステップＳ４５０は、録画使用者に対し指定の番組について正常に録画継続できないことをアラーム通知する処理である。ステップＳ４４０にて受信信号レベルが規定レベル以下と判断されると、ＣＰＵ１０５は表示器１０７への録画／録音エラーメッセージの表示あるいは報知器１０８へのアラーム音の鳴動を命令し、その後終了へ移行する。
【０１０１】
以上により本発明の実施の形態について説明した。なお、上述した実施形態は、本発明の好適な実施形態の一例を示すものであり、本発明はそれに限定されるものではなく、その要旨を逸脱しない範囲内において、種々変形実施が可能である。
【０１０２】
【発明の効果】
以上の説明から明らかなように、本発明によれば、第１の効果として、移動情報端末が所定のチャネル・番組の録画／録音処理を正常に（所定品質以上で）継続できない電波環境の悪いエリアあるいは放送されないエリアに移動してしまった場合などに、録画／録音使用者に対してアラーム通知できる。理由は、ＴＶ信号処理回路あるいはＦＭラジオ信号処理回路等で受信信号レベルが規定レベル以下になった時にＣＰＵに対して通知を行う構成により、ＣＰＵは通知された後に、表示器に録画／録音エラー（アラーム）表示をするように命令し、あるいは報知器にはアラーム鳴音するように命令するためである。
【０１０３】
第２の効果として、現在録画／録音中のチャネル・番組と同等の内容の放送チャネルを自動選択する機能にて、自動選択したチャネルで正常受信できない場合に、録画／録音使用者に対してアラーム通知することができる。理由は、電波環境の悪いエリアに移動したこと等により、ＴＶ信号処理回路あるいはＦＭラジオ信号処理回路等で受信信号レベルが規定レベル以下になった時にＣＰＵ対して通知し、ＣＰＵは通知を受けると、通信用アンテナ・無線部を経由で受信したデータ内から位置情報抽出回路にて端末現在位置（エリア）情報を取得し、位置情報とチャネルの対応情報を参照して、現在録画／録音中のチャネルと同等の内容の放送チャネルを自動選択し、そのチャネルにて正常受信できるか否かＴＶ信号処理回路あるいはＦＭラジオ信号処理回路で判定し、また、所定のＮＧ回数に達しないうちはそのようなチャネル選択処理を繰り返し、受信信号レベルが規定レベル以下であった時にＣＰＵに対して通知が可能であり、ＣＰＵは通知された後、表示器には録画／録音エラー表示を行うように命令し、報知器にはアラーム鳴音するように命令するためである。
【０１０４】
第３の効果として、上記第１、第２の効果で示した録画／録音エラー出力内に、録画／録音依頼のためのメール作成・送信へジャンプ（リンク）できるショートカットを設け、そのショートカットを操作部を通じてユーザが選択することにより、予め設定されているメールリストでの宛先へ「何時何分から○○テレビ（○○ｃｈ）で放送中の番組を録画願います。」といった内容の依頼メールを自動送信可能とした構成により、友人知人などの他者に対して録画／録音処理中の番組についての録画／録音を依頼するメールを自動送信できることである。理由は、予め移動情報端末内に緊急時（録画／録音処理の継続が不可能となってしまう場合）に録画／録音を依頼できる友人知人等のメールアドレスを操作部を通じて入力・登録でき、登録されたメールアドレスと、録画／録音処理を維持できなかったチャネル・番組の情報（放送系列、録画時間帯など）をエラー通知先メモリに格納しておき、録画／録音依頼メール自動送信時にエラー通知先メモリ内に格納されているメールアドレスを送信先として、またチャネル・番組情報を録画／録音エラー表示に自動的に組み込むことによりメール作成・送信を実行することが可能であるためである。
【０１０５】
第４の効果として、上記第１、第２の効果で示した録画／録音エラー出力内に、所定の電話番号へ発信可能なショートカットを設け、そのショートカットを操作部を通じてユーザが選択することにより、予め設定されている電話番号に対して発信して友人知人等に口頭で録画／録音の依頼をすることができる。理由は、予め移動情報端末内に緊急時に録画／録音を依頼できる友人知人等の他者の電話番号を操作部を通じて入力・設定でき、入力された電話番号をエラー通知先メモリに予め格納しておき、録画／録音エラー表示に組み込むことにより電話番号の自動発呼が可能となるためである。
【０１０６】
第５の効果として、上記第１、第２の効果で示した録画／録音エラー出力内に、再度チャネルサーチを行うか否か選択させるメッセージを表示し、操作部を通じてユーザが選択を行うことにより再度チャネルサーチを行う構成により、早急に録画／録音可能なチャネルを検出できることである。理由は、ＣＰＵはチャネルサーチするか否か選択させるメッセージを表示器に表示するように命令し、操作部より録画／録音使用者が「再度チャネルサーチする／チャネルサーチしない」を選択できる構成とし、また、操作部より「再度チャネルサーチする」が選択された時に、位置情報抽出回路を用いて抽出した端末現在位置情報に基づき、位置情報／チャネルメモリに登録されている、現在録画／録音中のチャネルと同等の内容が放送されている最適なチャネルを選択することが可能であるためである。
【図面の簡単な説明】
【図１】本発明の実施の形態における移動情報端末の構成を示す図である。
【図２】本発明の別の実施の形態における移動情報端末の構成を示す図である。
【図３】位置情報／ＴＶチャネルメモリ１０６に格納される対応情報の構成例について示す図である。
【図４】エリア変更時における位置情報ＴＶチャネルメモリ１０６の使用例について示す図である。
【図５】本発明の第１、第２の実施形態の移動情報端末での処理手順を示すフローである。
【図６】本発明の第３の実施形態の移動情報端末での処理手順を示すフローである。
【図７】本発明の第４の実施形態の移動情報端末での処理手順を示すフローである。
【図８】本発明の第５の実施形態の移動情報端末での処理手順を示すフローである。
【図９】本発明の第６の実施形態の移動情報端末での処理手順を示すフローである。
【図１０】本発明の第７の実施形態の移動情報端末での処理手順を示すフローである。
【符号の説明】
１０１  通信用アンテナ
１０２  無線部
１０３  位置情報抽出回路
１０５  中央演算処理部（ＣＰＵ）
１０６  位置情報／ＴＶチャネルメモリ
１０７  表示器
１０８  報知器
１０９  ＴＶ信号処理回路
１１０  ＴＶ用アンテナ
１１１  録画／録音用メモリ
１１２  操作部
１１３  エラー通知先設定部
１１４  エラー通知先メモリ
１１５  ＦＭラジオ信号処理回路
１１６  ＦＭラジオアンテナ
１１７  録音用メモリ
１１８  位置情報／ＦＭチャネルメモリ
【図１】
2004153333.tif 000003
【図２】
2004153333.tif 000004
【図３】
2004153333.tif 000005
【図４】
2004153333.tif 000006
【図５】
2004153333.tif 000007
【図６】
2004153333.tif 000008
【図７】
2004153333.tif 000009
【図８】
2004153333.tif 000010
【図９】
2004153333.tif 000011
【図１０】
2004153333.tif 000012